(57)【要約】  【課題】  カラー画像を形成する場合でも、モアレの生じる可能性を低減させることのできる画像形成装置および方法を提供する。  【解決手段】  副走査方向の最短周期に含まれるライン数がポリゴンの面数の２分の１である閾値マトリックスを用いる。【選択図】        図３
2007083605.tif 000002
【特許請求の範囲】
【請求項１】
色毎に異なる網点の閾値マトリックスを利用してレーザ光を変調し、該変調したレーザ光を回転多面鏡により感光体上に走査することで、網点による潜像を形成する画像形成装置において、
副走査方向の最短周期に含まれるライン数が前記回転多面鏡の面数の２分の１である閾値マトリックスを具備したことを特徴とする画像形成装置。
【請求項２】
色毎に異なる網点の閾値マトリックスを利用してレーザ光を変調し、該変調したレーザ光を回転多面鏡により感光体上に走査することで、網点による潜像を形成する画像形成装置において、
面数が前記閾値マトリックスの副走査方向の最短周期に含まれるライン数の２倍である回転多面鏡を具備したことを特徴とする画像形成装置。
【請求項３】
色毎に異なる網点の閾値マトリックスを利用してレーザ光を変調し、該変調したレーザ光を回転多面鏡により感光体上に走査することで、網点による潜像を形成する画像形成装置において、
前記回転多面鏡の面数と前記閾値マトリックスの副走査方向の最短周期に含まれるライン数との比を２対１にしたことを特徴とする画像形成装置。
【請求項４】
色毎に異なる網点の閾値マトリックスを利用してレーザ光を変調し、該変調したレーザ光を回転多面鏡により感光体上に走査することで、網点による潜像を形成する画像形成装置において、
前記回転多面鏡に基づいて発生するジッタの周期と、前記閾値マトリックスの副走査方向の複数周期に含まれるライン数とを一致させたことを特徴とする画像形成装置。
【請求項５】
色毎に異なる網点の閾値マトリックスを利用してレーザ光を変調し、該変調したレーザ光を回転多面鏡により感光体上に走査することで、網点による潜像を形成する画像形成方法において、
副走査方向の最短周期に含まれるライン数が前記回転多面鏡の面数の２分の１である閾値マトリックスで、前記レーザ光を変調することを特徴とする画像形成方法。
【請求項６】
色毎に異なる網点の閾値マトリックスを利用してレーザ光を変調し、該変調したレーザ光を回転多面鏡により感光体上に走査することで、網点による潜像を形成する画像形成方法において、
面数が前記閾値マトリックスの副走査方向の最短周期に含まれるライン数の２倍である回転多面鏡により、前記レーザ光を前記感光体上に走査することを特徴とする画像形成方法。
【請求項７】
色毎に異なる網点の閾値マトリックスを利用してレーザ光を変調し、該変調したレーザ光を回転多面鏡により感光体上に走査することで、網点による潜像を形成する画像形成方法において、
前記回転多面鏡の面数と前記閾値マトリックスの副走査方向の最短周期に含まれるライン数との比を２対１にしたことを特徴とする画像形成方法。
【請求項８】
色毎に異なる網点の閾値マトリックスを利用してレーザ光を変調し、該変調したレーザ光を回転多面鏡により感光体上に走査することで、網点による潜像を形成する画像形成装置において、
前記回転多面鏡に基づいて発生するジッタの周期と、前記閾値マトリックスの副走査方向の複数周期に含まれるライン数とを一致させたことを特徴とする画像形成方法。
【発明の詳細な説明】
【技術分野】
【０００１】
本発明は、画像形成装置および方法に関し、特に、ジッタと網点によるモアレの発生を抑制する画像形成装置および方法に関する。
【背景技術】
【０００２】
プリンタ等の画像形成装置では、ポリゴン（回転多面鏡）を用いてレーザビームで感光体上を走査して、スクリーン（網点）による潜像を記録し、これをトナーによって現像した画像を用紙上に記録するものがある。
【０００３】
この種の画像形成装置においては、ポリゴンを回転させるモータの微小な軸倒れ等によるポリゴンの回転周期の走査速度変動や、ポリゴンの面精度によりジッタが発生する場合があり、このジッタと網点の干渉により、画像にモアレ（縞模様）が発生し、その画質が低下することがある。
【０００４】
このような画質の低下を防止する技術としては、ポリゴンの面数を、スクリーンの閾値マトリックスの副走査方向の周期の整数倍とすることで、モアレを抑制するものがある（例えば、特許文献１参照）。
【０００５】
なお、この他にも、ポリゴンの位相を検知したり、ポリゴンをｎ面間隔で使用することで画質の劣化を防止する技術や（例えば、特許文献２参照）、閾値マトリックスの副走査方向周期をポリゴン面数の整数倍にすることで画質の劣化を防止する技術もある（例えば、特許文献３参照）。
【０００６】
ところで、画像形成装置のカラー化を検討すると、
（１）ジッタによるモアレの回避
（２）色重ねによるモアレの回避
（３）レジストレーションずれによる色味の変化の回避
（４）各色の階調差が小さい
といった条件を全て満たす必要がある。
【０００７】
（１）の条件を満たす、つまり、ジッタによるモアレを回避するためには、
（ａ）スクリーンを全てライン化する
（ｂ）特許文献１に記載されたような閾値マトリックスを用いる
といった方法が挙げられる。
【０００８】
（ａ）の方法を採用した場合には、（２）の条件を満たすために、４色の各スクリーンの角度を充分に離す必要がある。しかしながら、スクリーンの角度が４５度よりも寝ている（主走査方向に倒れている）場合は、少なからずハイライト部でスクリーンがドット状になる領域があり、（１）の条件を満たすのは困難である。更に粒状性が悪化することもある。
【０００９】
また、角度が４５度から１３５度の間に、４色のラインスクリーンを配置することも考えられるが、この場合には、（２）の条件を満たすことが難しい。
【００１０】
一方、（ｂ）の方法を採用した場合には、通常の直交スクリーンでは、使うことのできるスクリーンの選択の幅が小さく、更に（２）の条件を満たすことが難しい。また、同じスクリーンを２色以上重ねると、（３）の条件を満たすことができなくなる。
【００１１】
そこで、スクリーンの選択の幅を広げるために、斜交スクリーンを用いることが考えられる。直交スクリーンでは網点の線数(すなわち階調数)に対し、角度が一意に決まるのに対し、斜交スクリーンを用いれば、網点の角度と線数に自由度を持たせることができ、（４）の条件を満たすことができる。
【００１２】
しかし、斜交スクリーンを用い、（ｂ）の条件を満たすようにした場合でも、単色ではジッタと網点の干渉にるモアレが発生しないが、２色以上のスクリーンを重ねた時に、ジッタ特性の良い領域では視認されないが、ジッタ特性の悪い領域で色重ねによるモアレが視認されるといった現象が生じることとなる。
【００１３】
例えば、６面のポリゴンを用いる場合に、図１９に示すような副走査方向の最短周期が２ラインの斜交スクリーンを用いたとする。なお、図１９（ａ）は、第１色に用いるスクリーンを示し、図１９（ｂ）は、第２色に用いるスクリーンを示したものである。また、ここでは説明を簡単にするために、２色分のスクリーンについて説明する。
【００１４】
この場合、ジッタ特性が良い場合のドット形状は、第１色が図２０（ａ）に示すようになり、第２色が図２０（ｅ）に示すようになる。また、第１色は、図２０（ｂ）に示すようなジッタ特性により、図２０（ｃ）に示すような影響が生じると、そのドット形状は、図２０（ｄ）に示すようになる。同様に、第２色は、図２０（ｆ）に示すようなジッタ特性により、図２０（ｇ）に示すような影響が生じると、そのドット形状は、図２０（ｈ）に示すようになる。
【００１５】
つまり、ジッタ特性が悪くなった場合のドット形状は、第１色が図２１（ａ）に示すＡ、Ｂ、Ｃの３種類となり、第２色が図２１（ｂ）に示すＤ、Ｅ、Ｆの３種類となる。
【００１６】
その結果、ジッタ特性が良い領域では、図２２（ａ）に示す第１色の画像と、図２２（ｂ）に示す第２色の画像を重ね合わせた場合に、図２２（ｃ）に示すような画像が形成される。この場合、第１色のドットと第２色のドットの大部分が重複することにより形状と色みが若干異なる２次色ドットとなるのは、ＡとＢで示す形状のドットが重複したＡ＋Ｂのドットとなり、当該ドットは、スクリーンの副走査方向に１０ラインを周期として出現する。
【００１７】
一方、ジッタ特性が悪い領域では、図２３（ａ）に示す第１色の画像と、図２３（ｂ）に示す第２色の画像を重ね合わせた場合に、図２３（ｃ）に示すような画像が形成される。この場合、第１色のドットと第２色のドットの大部分が重複することにより形状と色みが若干異なる２次色ドットとなるのは、ＡとＤで示す形状のドットが重複したＡ＋Ｄのドット、ＣとＦで示す形状のドットが重複したＣ＋Ｆのドット、ＢとＥで示す形状のドットが重複したＢ＋Ｅのドットとなり、当該ドットは、スクリーンの副走査方向に３０ラインを周期として出現する。このＡ＋Ｄのドット、Ｃ＋Ｆのドット、Ｂ＋Ｅのドットでは、２色の元の２色のドット形状が異なるために、視覚的に異なる色味として見えることとなる。
【００１８】
このように、図１９に示す二つのスクリーンの組み合わせでは、ジッタ特性の悪い領域では、ジッタ特性の良い領域の３倍の周期で２次色ドットが配列されるため、結果としてモアレとして視認されることとなる。
【００１９】
また、８面のポリゴンを用いる場合に、図２４に示すような副走査方向の最短周期が２ラインの斜交スクリーンを用いたとする。なお、図２４（ａ）は、第１色に用いるスクリーンを示し、図２４（ｂ）は、第２色に用いるスクリーンを示したものである。ここでも同様に、２色分のスクリーンについて説明する。
【００２０】
この場合、ジッタ特性が良い場合のドット形状は、第１色が図２５（ａ）に示すようになり、第２色が図２５（ｅ）に示すようになる。また、第１色は、図２５（ｂ）に示すようなジッタ特性により、図２５（ｃ）に示すような影響が生じると、そのドット形状は、図２５（ｄ）に示すようになる。同様に、第２色は、図２５（ｆ）に示すようなジッタ特性により、図２５（ｇ）に示すような影響が生じると、そのドット形状は、図２５（ｈ）に示すようになる。
【００２１】
つまり、ジッタ特性が悪くなった場合のドット形状は、第１色が図２６（ａ）に示すＡ、Ｂ、Ｃ、Ｄの４種類となり、第２色が図２６（ｂ）に示すＥ、Ｆ、Ｇ、Ｈの４種類となる。
【００２２】
その結果、ジッタ特性が良い領域では、図２２（ａ）に示す第１色の画像と、図２２（ｂ）に示す第２色の画像を重ね合わせた場合に、図２２（ｃ）に示すような画像が形成される。この場合、第１色のドットと第２色のドットの大部分が重複することにより形状と色みが若干異なる２次色ドットとなるのは、ＡとＢで示す形状のドットが重複したＡ＋Ｂのドットとなり、当該ドットは、スクリーンの副走査方向に１０ラインを周期として出現する。
【００２３】
一方、ジッタ特性が悪い領域では、図２７（ａ）に示す第１色の画像と、図２７（ｂ）に示す第２色の画像を重ね合わせた場合に、図２７（ｃ）に示すような画像が形成される。この場合、第１色のドットと第２色のドットの大部分が重複することにより形状と色みが若干異なる２次色ドットとなるのは、ＡとＥで示す形状のドットが重複したＡ＋Ｅのドット、ＢとＦで示す形状のドットが重複したＢ＋Ｆのドット、ＣとＧで示す形状のドットが重複したＣ＋Ｇのドット、ＤとＨで示す形状のドットが重複したＤ＋Ｈのドットとなり、当該ドットは、スクリーンの副走査方向に４０ラインを周期として出現する。
【００２４】
このように、ジッタ特性の悪い領域では、ジッタ特性の良い領域の４倍の周期で２次色ドットが配列されるため、結果としてモアレとして視認されることとなる。
【特許文献１】特開昭６３−２３７０２２号公報
【特許文献２】特開平４−４００７０号公報
【特許文献３】特開昭６１−１１４６５０号公報
【発明の開示】
【発明が解決しようとする課題】
【００２５】
前述のように、画像形成装置のカラー化を検討した場合、ジッタ特性の良否により２次色ドットが配列する周期が変化し、結果としてモアレが生じる可能性があった。
【００２６】
そこで、本発明は、カラー画像を形成する場合でも、モアレの生じる可能性を低減させることのできる画像形成装置および方法を提供することを目的とする。
【課題を解決するための手段】
【００２７】
前述した目的を達成するため、請求項１の発明は、色毎に異なる網点の閾値マトリックスを利用してレーザ光を変調し、該変調したレーザ光を回転多面鏡により感光体上に走査することで、網点による潜像を形成する画像形成装置において、副走査方向の最短周期に含まれるライン数が前記回転多面鏡の面数の２分の１である閾値マトリックスを具備したことを特徴とする。
【００２８】
また、請求項２の発明は、色毎に異なる網点の閾値マトリックスを利用してレーザ光を変調し、該変調したレーザ光を回転多面鏡により感光体上に走査することで、網点による潜像を形成する画像形成装置において、面数が前記閾値マトリックスの副走査方向の最短周期に含まれるライン数の２倍である回転多面鏡を具備したことを特徴とする。
【００２９】
また、請求項３の発明は、色毎に異なる網点の閾値マトリックスを利用してレーザ光を変調し、該変調したレーザ光を回転多面鏡により感光体上に走査することで、網点による潜像を形成する画像形成装置において、前記回転多面鏡の面数と前記閾値マトリックスの副走査方向の最短周期に含まれるライン数との比を２対１にしたことを特徴とする。
【００３０】
また、請求項４の発明は、色毎に異なる網点の閾値マトリックスを利用してレーザ光を変調し、該変調したレーザ光を回転多面鏡により感光体上に走査することで、網点による潜像を形成する画像形成装置において、前記回転多面鏡に基づいて発生するジッタの周期と、前記閾値マトリックスの副走査方向の複数周期に含まれるライン数とを一致させたことを特徴とする。
【００３１】
また、請求項５の発明は、色毎に異なる網点の閾値マトリックスを利用してレーザ光を変調し、該変調したレーザ光を回転多面鏡により感光体上に走査することで、網点による潜像を形成する画像形成方法において、副走査方向の最短周期に含まれるライン数が前記回転多面鏡の面数の２分の１である閾値マトリックスで、前記レーザ光を変調することを特徴とする。
【００３２】
また、請求項６の発明は、色毎に異なる網点の閾値マトリックスを利用してレーザ光を変調し、該変調したレーザ光を回転多面鏡により感光体上に走査することで、網点による潜像を形成する画像形成方法において、面数が前記閾値マトリックスの副走査方向の最短周期に含まれるライン数の２倍である回転多面鏡により、前記レーザ光を前記感光体上に走査することを特徴とする。
【００３３】
また、請求項７の発明は、色毎に異なる網点の閾値マトリックスを利用してレーザ光を変調し、該変調したレーザ光を回転多面鏡により感光体上に走査することで、網点による潜像を形成する画像形成方法において、前記回転多面鏡の面数と前記閾値マトリックスの副走査方向の最短周期に含まれるライン数との比を２対１にしたことを特徴とする。
【００３４】
また、請求項８の発明は、色毎に異なる網点の閾値マトリックスを利用してレーザ光を変調し、該変調したレーザ光を回転多面鏡により感光体上に走査することで、網点による潜像を形成する画像形成装置において、前記回転多面鏡に基づいて発生するジッタの周期と、前記閾値マトリックスの副走査方向の複数周期に含まれるライン数とを一致させたことを特徴とする。
【発明の効果】
【００３５】
本発明によれば、ジッタ特性の悪い領域で発生するジッタとスクリーンの干渉によるモアレを回避することができる。
【００３６】
また、ジッタ特性の悪い領域において２色の網点の重なりによって発生するモアレを回避することもできる。
【発明を実施するための最良の形態】
【００３７】
以下、本発明に係る画像形成装置および方法の一実施の形態について、添付図面を参照して詳細に説明する。
【００３８】
図１は、本発明を適用した画像形成装置の概略構成を説明するための図である。同図に示すように、本発明を適用した画像形成装置は、レーザ１が照射するレーザ光をレンズ２を介してポリゴン３で反射させ、その反射光がレンズ４を介して感光体５に照射される。このとき、ポリゴン３は、図中の矢印Ａの方向に回転しているため、感光体５上を走査することとなり、この走査が主走査となる。同時に感光体５も図中の矢印Ｂの方向に回転しているため、ポリゴン３で反射されたレーザ光は、主走査方向と垂直の方向にも走査されることとなり、この走査が副走査となる。
【００３９】
また、レーザ１が照射するレーザ光は、画像を形成するための信号に応じて変調されるため、感光体５上には、潜像画像が形成されることとなる。
【００４０】
図２は、レーザ１が照射するレーザ光を変調させるための構成を示したブロック図である。同図に示すように、レーザ１が照射するレーザ光は、２値化回路１１が、入力された画像信号を閾値マトリックス１２と比較することで、レーザ光の変調パターンを決定し、このパターンに従って、レーザ変調器１３がレーザ１から照射されるレーザ光を変調する。閾値マトリックス１２は、画像信号にスクリーンを適用するためのマトリックスであり、レベルで階調を表す画像信号を面積で階調を表す画像に変換するために用いられる。
【００４１】
なお、図１および図２に示した構成は、基本的には、従来の画像形成装置と同様の構成であるが、本発明を適用した場合の特徴については、各実施例において説明する。
【実施例１】
【００４２】
図３は、実施例１で用いるスクリーンを示した図である。なお、実施例１では、説明を簡単にするために、２色分のスクリーンについて説明する。
【００４３】
図３に示したスクリーンは、６面のポリゴン（図１のポリゴン３に相当する）を用いる場合の斜交スクリーンであり、その最短周期が、ポリゴン面数の２分の１である３ラインのスクリーンである。図３（ａ）に示したスクリーンは、第１色に用いるスクリーンであり、図３（ｂ）に示したスクリーンは、第２色に用いるスクリーンである。
【００４４】
この図３に示したスクリーンを用いると、ジッタ特性が良い場合のドット形状は、第１色が図４（ａ）に示すようになり、第２色が図４（ｅ）に示すようになる。また、第１色は、図４（ｂ）に示すような正弦波状のジッタ特性により、図４（ｃ）に示すような影響が生じると、そのドット形状は、図４（ｄ）に示すようになる。同様に、第２色は、図４（ｆ）に示すような正弦波状のジッタ特性により、図４（ｇ）に示すような影響が生じると、そのドット形状は、図４（ｈ）に示すようになる。
【００４５】
したがって、ジッタ特性が悪くなった場合のドット形状は、第１色が図５（ａ）に示すＡ、Ｂの２種類となり、第２色が図５（ｂ）に示すＣ、Ｄの２種類となる。
【００４６】
その結果、ジッタ特性が良い領域では、図６（ａ）に示す第１色の画像と、図６（ｂ）に示す第２色の画像を重ね合わせた場合に、図６（ｃ）に示すような画像が形成される。この場合、第１色のドットと第２色のドットの大部分が重複することにより形状と色みが若干異なる２次色ドットとなるのは、図中にＡとＢで示す形状のドットが重複したＡ＋Ｂで示すドットとなり、当該ドットは、スクリーンの副走査方向に６ラインを周期として出現していることがわかる。
【００４７】
一方、ジッタ特性が悪い領域では、図７（ａ）に示す第１色の画像と、図７（ｂ）に示す第２色の画像を重ね合わせた場合に、図７（ｃ）に示すような画像が形成される。この場合、第１色のドットと第２色のドットの大部分が重複することにより形状と色みが若干異なる２次色ドットとなるのは、図中にＡとＣで示す形状のドットが重複したＡ＋Ｃのドットとなり、当該ドットは、スクリーンの副走査方向に６ラインを周期として出現していることがわかる。
【００４８】
図６（ｃ）に示した画像と図７（ｃ）に示した画像を比較すると明らかなように、図３に示したスクリーンを用いた場合には、ジッタ特性が良い場合とジッタ特性が悪い場合とで、同じ周期で２次色ドットが配列される。したがって、モアレとして視認されることはない。
【実施例２】
【００４９】
図８は、実施例２で用いるスクリーンを示した図である。なお、実施例２では、説明を簡単にするために、２色分のスクリーンについて説明する。
【００５０】
図８に示したスクリーンは、８面のポリゴン（図１のポリゴン３に相当する）を用いる場合の斜交スクリーンであり、その最短周期が、ポリゴン面数の２分の１である４ラインのスクリーンである。図８（ａ）に示したスクリーンは、第１色に用いるスクリーンであり、図８（ｂ）に示したスクリーンは、第２色に用いるスクリーンである。
【００５１】
この図８に示したスクリーンを用いると、ジッタ特性が良い場合のドット形状は、第１色が図９（ａ）に示すようになり、第２色が図９（ｅ）に示すようになる。また、第１色は、図９（ｂ）に示すような正弦波状のジッタ特性により、図９（ｃ）に示すような影響が生じると、そのドット形状は、図９（ｄ）に示すようになる。同様に、第２色は、図９（ｆ）に示すような正弦波状のジッタ特性により、図９（ｇ）に示すような影響が生じると、そのドット形状は、図９（ｈ）に示すようになる。
【００５２】
したがって、ジッタ特性が悪くなった場合のドット形状は、第１色が図１０（ａ）に示すＡ、Ｂの２種類となり、第２色が図１０（ｂ）に示すＣ、Ｄの２種類となる。
【００５３】
その結果、ジッタ特性が良い領域では、図１１（ａ）に示す第１色の画像と、図１１（ｂ）に示す第２色の画像を重ね合わせた場合に、図１１（ｃ）に示すような画像が形成される。この場合、第１色のドットと第２色のドットの大部分が重複することにより形状と色みが若干異なる２次色ドットとなるのは、図中にＡとＢで示す形状のドットが重複したＡ＋Ｂで示すドットとなり、当該ドットは、スクリーンの副走査方向に８ラインを周期として出現していることがわかる。
【００５４】
一方、ジッタ特性が悪い領域では、図１２（ａ）に示す第１色の画像と、図１２（ｂ）に示す第２色の画像を重ね合わせた場合に、図１２（ｃ）に示すような画像が形成される。この場合、第１色のドットと第２色のドットの大部分が重複することにより形状と色みが若干異なる２次色ドットとなるのは、図中にＡとＣで示す形状のドットが重複したＡ＋Ｃのドットとなり、当該ドットは、スクリーンの副走査方向に８ラインを周期として出現していることがわかる。
【００５５】
図１１（ｃ）に示した画像と図１２（ｃ）に示した画像を比較すると明らかなように、図８に示したスクリーンを用いた場合には、ジッタ特性が良い場合とジッタ特性が悪い場合とで、同じ周期で２次色ドットが配列される。したがって、モアレとして視認されることはない。
【実施例３】
【００５６】
実施例３は、実施例１で説明したスクリーン（図３参照）を用いた場合の例であるが、実施例３では、ポリゴン（図１のポリゴン３に相当する）のある面が変形している等の理由で、突発的なジッタが周期的に生じる場合を説明する。なお、ここでは、突発的なジッタがスクリーンの副走査方向の最短周期と一致する周期で出現するものとする。
【００５７】
図３に示したスクリーンを用いると、ジッタ特性が良い場合のドット形状は、第１色が図１３（ａ）に示すようになり、第２色が図１３（ｅ）に示すようになる（それぞれ、図４（ａ）、図４（ｅ）に示したものと同様である）。また、第１色は、図１３（ｂ）に示すようなジッタ特性により、図１３（ｃ）に示すような影響が生じると、そのドット形状は、図１３（ｄ）に示すようになる。同様に、第２色は、図１３（ｆ）に示すようなジッタ特性により、図１３（ｇ）に示すような影響が生じると、そのドット形状は、図１３（ｈ）に示すようになる。
【００５８】
したがって、ジッタ特性が悪くなった場合のドット形状は、第１色が図１４（ａ）に示すＡの１種類となり、第２色が図１４（ｂ）に示すＢの１種類となる。
【００５９】
その結果、ジッタ特性が悪い領域では、図１５（ａ）に示す第１色の画像と、図１５（ｂ）に示す第２色の画像を重ね合わせた場合に、図１５（ｃ）に示すような画像が形成される。この場合、第１色のドットと第２色のドットの大部分が重複することにより形状と色みが若干異なる２次色ドットとなるのは、図中にＡとＢで示す形状のドットが重複したＡ＋Ｂのドットとなり、当該ドットは、スクリーンの副走査方向に６ラインを周期として出現していることがわかる。
【００６０】
実施例１で参照した図６（ｃ）に示した画像と図１５（ｃ）に示した画像を比較すると明らかなように、図３に示したスクリーンを用いた場合には、ジッタ特性が良い場合とジッタ特性が悪い場合とで、同じ周期で２次色ドットが配列される。したがって、モアレとして視認されることはない。
【実施例４】
【００６１】
実施例４は、実施例１で説明したスクリーン（図３参照）を用いた場合の例であるが、実施例３と同様に、ポリゴン（図１のポリゴン３に相当する）のある面が変形している等の理由で、突発的なジッタが周期的に生じる場合を説明する。なお、ここでは、突発的なジッタがスクリーンの副走査方向の最短周期の２倍の周期で出現するものとする。
【００６２】
図３に示したスクリーンを用いると、ジッタ特性が良い場合のドット形状は、第１色が図１６（ａ）に示すようになり、第２色が図１６（ｅ）に示すようになる（それぞれ、図４（ａ）、図４（ｅ）に示したものと同様である）。また、第１色は、図１６（ｂ）に示すようなジッタ特性により、図１６（ｃ）に示すような影響が生じると、そのドット形状は、図１６（ｄ）に示すようになる。同様に、第２色は、図１６（ｆ）に示すようなジッタ特性により、図１６（ｇ）に示すような影響が生じると、そのドット形状は、図１６（ｈ）に示すようになる。
【００６３】
したがって、ジッタ特性が悪くなった場合のドット形状は、第１色が図１７（ａ）に示すＡとＢの２種類となり、第２色が図１７（ｂ）に示すＣとＤの２種類となる。
【００６４】
その結果、ジッタ特性が悪い領域では、図１８（ａ）に示す第１色の画像と、図１８（ｂ）に示す第２色の画像を重ね合わせた場合に、図１８（ｃ）に示すような画像が形成される。この場合、第１色のドットと第２色のドットの大部分が重複することにより形状と色みが若干異なる２次色ドットとなるのは、図中にＡとＣで示す形状のドットが重複したＡ＋Ｃのドットとなり、当該ドットは、スクリーンの副走査方向に６ラインを周期として出現していることがわかる。
【００６５】
実施例１で参照した図６（ｃ）に示した画像と図１８（ｃ）に示した画像を比較すると明らかなように、図３に示したスクリーンを用いた場合には、ジッタ特性が良い場合とジッタ特性が悪い場合とで、同じ周期で２次色ドットが配列される。したがって、モアレとして視認されることはない。
【図面の簡単な説明】
【００６６】
【図１】本発明を適用した画像形成装置の概略構成を説明するための図である。
【図２】レーザ１が照射するレーザ光を変調させるための構成を示したブロック図である。
【図３】実施例１で用いるスクリーンを示した図である。
【図４】ジッタによるドット形状の変形を説明するための図である（実施例１）。
【図５】ジッタにより変形したドット形状を示した図である（実施例１）。
【図６】ジッタ特性が良い場合に形成される画像を示した図である（実施例１）。
【図７】ジッタ特性が悪い場合に形成される画像を示した図である（実施例１）。
【図８】実施例２で用いるスクリーンを示した図である。
【図９】ジッタによるドット形状の変形を説明するための図である（実施例２）。
【図１０】ジッタにより変形したドット形状を示した図である（実施例２）。
【図１１】ジッタ特性が良い場合に形成される画像を示した図である（実施例２）。
【図１２】ジッタ特性が悪い場合に形成される画像を示した図である（実施例２）。
【図１３】ジッタによるドット形状の変形を説明するための図である（実施例３）。
【図１４】ジッタにより変形したドット形状を示した図である（実施例３）。
【図１５】ジッタ特性が悪い場合に形成される画像を示した図である（実施例３）。
【図１６】ジッタによるドット形状の変形を説明するための図である（実施例４）。
【図１７】ジッタにより変形したドット形状を示した図である（実施例４）。
【図１８】ジッタ特性が悪い場合に形成される画像を示した図である（実施例４）。
【図１９】従来の構成で用いるスクリーンの例を示した図である。
【図２０】ジッタによるドット形状の変形を説明するための図である。
【図２１】ジッタにより変形したドット形状を示した図である。
【図２２】ジッタ特性が良い場合に形成される画像を示した図である。
【図２３】ジッタ特性が悪い場合に形成される画像を示した図である。
【図２４】従来の構成で用いるスクリーンの例を示した図である。
【図２５】ジッタによるドット形状の変形を説明するための図である。
【図２６】ジッタにより変形したドット形状を示した図である。
【図２７】ジッタ特性が悪い場合に形成される画像を示した図である。
【符号の説明】
【００６７】
１    レーザ
２    レンズ
３    ポリゴン
４    レンズ
５    感光体
１１    ２値化回路
１２    閾値マトリックス
１３    レーザ変調器
【図１】
2007083605.tif 000003
【図２】
2007083605.tif 000004
【図３】
2007083605.tif 000005
【図４】
2007083605.tif 000006
【図５】
2007083605.tif 000007
【図６】
2007083605.tif 000008
【図７】
2007083605.tif 000009
【図８】
2007083605.tif 000010
【図９】
2007083605.tif 000011
【図１０】
2007083605.tif 000012
【図１１】
2007083605.tif 000013
【図１２】
2007083605.tif 000014
【図１３】
2007083605.tif 000015
【図１４】
2007083605.tif 000016
【図１５】
2007083605.tif 000017
【図１６】
2007083605.tif 000018
【図１７】
2007083605.tif 000019
【図１８】
2007083605.tif 000020
【図１９】
2007083605.tif 000021
【図２０】
2007083605.tif 000022
【図２１】
2007083605.tif 000023
【図２２】
2007083605.tif 000024
【図２３】
2007083605.tif 000025
【図２４】
2007083605.tif 000026
【図２５】
2007083605.tif 000027
【図２６】
2007083605.tif 000028
【図２７】
2007083605.tif 000029